(57)【特許請求の範囲】
【請求項１】
梁板部と、この梁板部の裏面両端側において蝶番を以って当該梁板部に対し起伏可能な一対の折り畳み式長脚枠とを備え、各長脚枠は、その上枠部において折り畳み式短脚机の天板の裏面に設けた第１の位置決め部に係合して当該天板を位置決めする第２の位置決め部を有することを特徴とする机用組立脚。
【請求項２】
請求項１に記載の机用組立脚において、前記第１の位置決め部は位置決め凸部であり、前記第２の位置決め部は位置決め凹所であることを特徴とする机用組立脚。
【請求項３】
請求項２に記載の机用組立脚において、前記位置決め凸部は前記天板の長手方向に配した第１の突条部であって、前記位置決め凹所は前記上枠部の直角方向に配した溝部であることを特徴とする机用組立脚。
【請求項４】
請求項３に記載の机用脚において、前記凸部は前記上枠部の内側面に当接する第２の突条部を有することを特徴とする机用組立脚。
【請求項５】
請求項１乃至請求項４のいずれか一項に記載の机用組立脚において、前記梁板部は、当該梁板部に対する前記折り畳み式長脚枠の折り込み状態を保持するためのラッチを備えて成ることを特徴とする机用組立脚。
【発明の詳細な説明】
【技術分野】
【０００１】
本発明は、折り畳み式宴会机等の短脚机を長脚机として組替えることができる机用組立脚に関する。
【背景技術】
【０００２】
従来、特開２００２−６５３６２公報においては、天板の裏面に折り畳まれた短脚部と長脚部を選択的に起立して使用する折り畳み式テーブルが開示されている。これは、短脚部を繰り出すと畳上に座して使用できる短脚テーブルとなり、長脚部を繰り出すと椅子に腰掛けて使用できる長脚テーブルとなるものである。
【特許文献１】特開２００２−６５３６２公報
【発明の開示】
【発明が解決しようとする課題】
【０００３】
しかしながら、旅館やホテル等においては、一般に折り畳み式宴会机等の短脚机が備わっていることから、上記折り畳み式テーブルを短脚机として用いる利用率は少なく、また１つの天板に短脚部と長脚部とが設けられているため、上記折り畳み式テーブルを新たに購入するにはコスト高となっている。
【０００４】
そこで、上記問題点に鑑み、本発明の課題は、折り畳み式宴会机等の短脚机を天板として利用することで長脚机を構成できる机用組立脚を提供することにある。
【課題を解決するための手段】
【０００５】
本発明に係る机用組立脚は、梁板部と、この梁板部の裏面両端側において蝶番を以って当該梁板部に対し起伏可能な一対の折り畳み式長脚枠とを備え、各長脚枠は、その上枠部において折り畳み式短脚机の天板の裏面に設けた第１の位置決め部に係合して当該天板を第２の位置決め部を有することを特徴とする。
【０００６】
机用組立脚の長脚枠を梁板部に対して起立させてフロアに設置した後、この上に短脚を折り込んだ短脚机を載せてその天板の裏面の第１の位置決め部を長脚枠の上枠部の第２の位置決め部に係合させて組み合わせることにより、机用組立脚上の短脚机の位置ズレを無くすことができ、長脚机として組替えて使用できる。既存の折り畳み式宴会机等の短脚机に第１の位置決め部を設けるだけで利用できるので、長脚机を新たに購入する場合に比し低コストを図ることができる。しかも、机用組立脚は天板無しの折り畳み式であり、軽量・コンパクトでスタック可能である。
【０００７】
第１の位置決め部としては位置決め凸部であり、第２の位置決め部としては位置決め凹所とすることができる。
【０００８】
位置決め凸部は天板の長手方向に配した第１の突条部であって、位置決め凹所は上枠部の直角方向に配した溝部であることが望ましい。第１の突条部が溝部に係合した様子を外部から視認できるので、組み立て作業が容易となる。
【０００９】
凸部は上枠部の内側面に当接する第２の突条部を有することが望ましい。左右の上枠部の内側面には天板の左右にある第２の突条部が当接し、両長脚枠の折り込み動を完全に阻止するため、安定性が増す。
【００１０】
また、梁板部は当該梁板部に対する折り畳み式長脚枠の折り込み状態を保持するためのラッチを備えて成ることが望ましい。折り畳み式長脚枠が開脚しないので、机用組立脚の携行が容易となる。
【００１１】
なお、梁板部の第１主面の両端側において蝶番を以って当該梁板部に対し起伏可能な左右一対の第１折り畳み式長脚枠と、梁板部の第１主面とは反対側面の両端側において蝶番を以って当該梁板部に対し起伏可能な左右一対の第２折り畳み式長脚枠とを備えた机用組立脚とすれば、２つの短脚机と組み合わせることにより、机幅の広い長脚机を構成することができる。
【発明の効果】
【００１２】
本発明に係る机用組立脚においては、天板がない分、低コスト化を図ることができる。また机用組立脚は天板無しの折り畳み式であり、軽量・コンパクトでスタック可能である。
【発明を実施するための最良の形態】
【００１３】
次の本発明の実施例を添付図面に基づいて説明する。図１（Ａ）は本発明の実施例に係る机用組立脚を示す背面図、図１（Ｂ）はその左側面図、図２（Ａ）は同机用組立脚の閉脚状態を示す背面図、図２（Ｂ）はその左側面図、図３は同机用組立脚の平面図、図４（Ａ）は同机用組立脚の天板として用いる折り畳み式宴会机を示す底面図、図４（Ｂ）はその右側面図、図５（Ａ）は同机用組立脚に同折り畳み式宴会机を組み合わせた状態を示す背面図、図５（Ｂ）はその左側面図である。
【００１４】
本例の机用組立脚１０は、梁板部２０と、この梁板部２０の裏面両端側において蝶番３０ａ，３０ｂを以って当該梁板部２０に対し起伏可能な左右一対の折り畳み式長脚枠４０ａ，４０ｂとを備えている。一対の折り畳み式長脚枠４０ａ，４０ｂは相対向してその内側へ倒れするようになっている。この梁板部２０は一対の折り畳み式長脚枠４０ａ，４０ｂの連結板として機能している。梁板部２０の補強部２２ａ（２２ｂ）には、長脚枠４０ａ（４０ｂ）の閉脚状態を保持するため、長脚枠４０ａ（４０ｂ）に形成した穴ｈ（ｈ）に挿抜可能のラッチ棒２４ａ（２４ｂ）が設けられている。長脚枠４０ａ（４０ｂ）は、畳等のフロアに設置する下枠部Ａと、梁板部２０と蝶番３０ａ（３０ｂ）が取着した前脚部Ｂと、穴ｈ（ｈ）を持つ後脚部Ｃと、係合溝Ｙを持つ上枠部Ｄとから成る矩形枠である。係合溝Ｙは上枠部Ｄの直角方向に配してある。
【００１５】
一方、図４に示す折り畳み式宴会机５０の天板５５は、その裏面に左右一対の折り畳み式短脚５０ａ，５０ｂを備えている。一対の折り畳み式の短脚５０ａ，５０ｂは相対向してその内側へ倒れるようになっている。天板５５の裏面のうち、一対の折り畳み式の短脚５０ａ，５０ｂの外側に、Ｔ字形に近い係合凸部Ｘがネジ止めされている。各係合凸部Ｘの机幅方向に延びる第１の突条部Ｘ１の外側縁は長脚枠４０ａ（４０ｂ）の上枠部Ｄの内側面に当接するように位置決めされている。また、各係合凸部Ｘの机長方向に延びる第２の突条部Ｘ２は上枠部Ｄの係合溝Ｙに嵌るように位置決めされている。
【００１６】
図１、図３及び図５に示すように、机用組立脚１０の長脚枠４０ａ（４０ｂ）を梁板部２０に対して起立させて設置した後、この上に短脚５０ａ（５０ｂ）を折り込んだ宴会用机５０を載せてその天板５５の裏面の第２の突条部Ｘ２（第１の位置決め手段）を長脚枠４０ａ（４０ｂ）の上枠部Ｄの係合溝Ｙ（第２の位置決め手段）に嵌めて組み合わせると、第１の突条部Ｘ１の外側縁に長脚枠４０ａ（４０ｂ）の上枠部Ｄの内側面が当接し、宴会用机５０がズレ無く搭載される。このため、長脚机として組替えて使用できる。既存の折り畳み式宴会机５０に係合凸部Ｘをネジ止めするだけでこれを天板として利用できるので、長脚机を新たに購入する場合に比し低コストを図ることができる。しかも、机用組立脚１０は天板無しの折り畳み式であり、軽量・コンパクトでスタック可能である。
【００１７】
また、梁板部２０は当該梁板部２０に対する折り畳み式長脚枠４０ａ（４０ｂ）の折り込み状態を保持するためのラッチ棒２４ａ（２４ｂ）を備えているため、机用組立脚１０の携行が容易となる。
【図面の簡単な説明】
【００１８】
【図１】（Ａ）は本発明の実施例に係る机用組立脚を示す背面図、（Ｂ）はその左側面図である。
【図２】（Ａ）は同机用組立脚の閉脚状態を示す背面図、（Ｂ）はその左側面図である。
【図３】同机用組立脚の平面図である。
【図４】（Ａ）は同机用組立脚の天板として用いる折り畳み式宴会机を示す底面図、（Ｂ）はその右側面図である。
【図５】（Ａ）は同机用組立脚に同折り畳み式宴会机を組み合わせた状態を示す背面図、（Ｂ）はその左側面図である。
【符号の説明】
【００１９】
１０…机用組立脚
２０…梁板部
２２ａ，２２ｂ…補強部
２４ａ，２４ｂ…ラッチ棒
３０ａ，３０ｂ…蝶番
４０ａ，４０ｂ…折り畳み式長脚枠
５０…折り畳み式宴会机
５０ａ，５０ｂ…折り畳み式短脚
５５…天板
Ａ…下枠部
Ｂ…前脚部
Ｃ…後脚部
Ｄ…上枠部
ｈ…穴
Ｘ…凸部
Ｘ１…第１の突条部
Ｘ２…第２の突条部
Ｙ…係合溝
【図１】
0004566933.tif 000002
【図２】
0004566933.tif 000003
【図３】
0004566933.tif 000004
【図４】
0004566933.tif 000005
【図５】
0004566933.tif 000006